(57)【要約】【課題】本体ベースにプロテクタを設け、低コストで、光ディスクが対物レンズに接触することを防止することができる光ピックアップおよび光ディスク記録再生装置を得る。【解決手段】本体ベース１と、対物レンズ１１を保持していて本体ベース１側から伸びた弾性体により平行移動可能に支持されているレンズホルダ１０と、レンズホルダ１０をフォーカシング方向およびトラッキング方向に駆動するアクチュエータと、本体ベース１に光ディスク面に向かって形成された一対のプロテクタ装着用突起４，６と、各プロテクタ装着用突起４，６の先端部に装着されたプロテクタ５，７と、を備え、一対のプロテクタ装着用突起は４，６、対物レンズ１１を挟んで光ディスク３の半径方向内外に形成され、プロテクタ５，７の先端は、対物レンズ１１の面よりも光ディスク３の面に近い位置にある。【選択図】図１
2009099175.tif 000002
【特許請求の範囲】
【請求項１】
本体ベースと、
対物レンズを保持していて本体ベース側から伸びた弾性体により平行移動可能に支持されているレンズホルダと、
レンズホルダを対物レンズ光軸方向であるフォーカシング方向および対物レンズ光軸に直交する方向であるトラッキング方向に駆動するアクチュエータと、
上記本体ベースに光ディスク面に向かって形成された一対のプロテクタ装着用突起と、
各プロテクタ装着用突起の先端部に装着されたプロテクタと、を備え、
上記一対のプロテクタ装着用突起は、上記対物レンズを挟んで光ディスクの半径方向内外に形成され、
上記プロテクタの先端は、対物レンズ面よりも光ディスク面に近い位置にある光ピックアップ。
【請求項２】
一対のプロテクタ装着用突起は、光ディスクの半径方向において本体ベースのうち対物レンズに最も近接した位置に形成されている請求項１記載の光ピックアップ。
【請求項３】
各プロテクタは光ディスクとの対向面が半球状に形成されている請求項１記載の光ピックアップ。
【請求項４】
レンズホルダにも、光ディスク面に向かって形成された一対のプロテクタ装着用突起が対物レンズを挟んで光ディスクの半径方向内外に形成され、レンズホルダ側プロテクタ装着用突起の各先端部にもプロテクタが装着されている請求項１記載の光ピックアップ。
【請求項５】
プロテクタは、光ディスクと接触しても光ディスクを傷つけない素材からなる請求項１または４記載の光ピックアップ。
【請求項６】
アクチュエータカバーを本体ベースに嵌合させることにより、アクチュエータカバーを装着することができる請求項１記載の光ピックアップ。
【請求項７】
プロテクタ装着用突起の先端部はプロテクタとの嵌合構造になっていて、プロテクタ装着用突起の先端部に、プロテクタに代えてアクチュエータカバーを装着することができる請求項１記載の光ピックアップ。
【請求項８】
プロテクタ装着用突起の先端部にアクチュエータカバーを装着した状態でのアクチュエータカバーの頂点は、プロテクタを装着した場合のプロテクタの頂点と同じ高さである請求項７記載の光ピックアップ。
【請求項９】
装填される光ディスクを回転駆動する駆動装置を備え、回転駆動される光ディスクの記録トラックに情報信号を記録し、または光ディスクの記録トラックに記録されている情報信号を再生する光ピックアップを備えた光ディスク記録再生装置であって、上記光ピックアップは請求項１ないし８のいずれかに記載の光ディスク記録再生装置。
【発明の詳細な説明】
【技術分野】
【０００１】
本発明は、光ピックアップおよびこれを用いた光ディスク記録再生装置に関するもので、特に、対物レンズが光ディスクに接触することを防止するためのプロテクタの構成に特徴を有するものである。
【背景技術】
【０００２】
光ディスクに記録されている信号を再生し、また、光ディスクに信号を記録する光ディスク装置は、光ディスクを回転駆動するモータと、光ディスクの記録トラックに光束を収束させ、その反射光を受光して信号を再生する光ピックアップを備えている。光ピックアップは、光源から射出される光束がディスクの記録トラックに常にフォーカスされるように光軸方向の位置を制御するフォーカス制御が行われるため、ディスク面と対物レンズとの間隔は一定に保たれる。しかし、回転駆動されるとき対物レンズとの間隔が変動するいわゆる面振れの大きいディスクが使用されると、ディスクの面振れにフォーカス制御が追いつかず、ディスクが対物レンズに接触し、対物レンズが傷つくことがあり得る。特に、近年のように、光ディスクの高密度化のために、開口数ＮＡの大きい対物レンズを用い、加えて、短波長のレーザ光源が用いられるようになってくると、対物レンズと光ディスクとの間隔、すなわちワーキングディスタンスが狭くなり、ディスクと対物レンズが接触しやすくなる。
【０００３】
そこで、対物レンズが直接光ディスクに当たらないように、レンズホルダにプロテクタを設けたものがある。特許文献１記載の発明はその一つで、光ピックアップを構成する対物レンズホルダに、このホルダで保持されている対物レンズの周囲の少なくとも一つの対物レンズ衝突防止用プロテクタ部を突設している。面振れの大きいディスクが装填され、これが回転駆動されることにより、ディスク面が対物レンズに接近すると、ディスク面が対物レンズに接触する前に上記プロテクタ部に接触し、対物レンズに接触することを回避して対物レンズが傷つくことを防止する。
【０００４】
なお、特許文献１記載の発明では、対物レンズ衝突防止用プロテクタ部の表層に、特定の物理特性、具体的には動的粘弾性が一定の数値範囲に属するプロテクタ表層材が形成されている。これにより、磨耗によるプロテクタ表層材が光ディスクへ付着するのを防止し、静電気による雰囲気中のゴミの光ディスクや対物レンズへの付着を低減している。
【０００５】
特許文献１記載の発明のようにレンズホルダにプロテクタを設けたもののほかに、オプトベースと称する光ピックアップ本体のベースに、アクチュエータアセンブリすなわちフォーカシング駆動機構およびトラッキング駆動機構部分を覆い、対物レンズとの対向部分に開口を有するオプトカバー（以下「ＯＰＴカバー」という）を取り付けたものがある。図５は、ＯＰＴカバーを備えた従来の光ピックアップの例を示す。図５において、符号１は光ピックアップの本体ベースを示す。本体ベース１の内方には対物レンズ、対物レンズホルダ、対物レンズホルダを駆動するアクチュエータが組み込まれている。対物レンズホルダは、本体ベース側から伸び出た弾性体、例えば複数本の互いに平行な弾性線材によって支持され、外力が加えられることにより、対物レンズの光軸方向にもこれに直交する方向にも平行移動可能となっている。上記アクチュエータは、対物レンズホルダをフォーカシング制御するフォーカシングコイルおよびフォーカシング磁石、対物レンズホルダをトラッキング制御するトラッキングコイルおよびトラッキング磁石を有してなる。
【０００６】
本体ベース１には、上記アクチュエータおよび対物レンズホルダの光ディスク３との対向面側を覆うＯＰＴカバー２が装着されている。光ディスク３は光ディスク記録再生装置の所定位置に装填されることにより、図示のように光ピックアップに対向した姿勢をとる。ＯＰＴカバー２はその突起２１が本体ベース１の受溝１１に嵌合されることにより、光ディスク３に対向する姿勢で装着されている。面ぶれの大きい光ディスク３を使用した場合でも、光ディスク３がＯＰＴカバー２に当たって金属などからなる上記本体ベース１に光ディスク３が直接当たることがないようにし、また、光ディスク３がＯＰＴカバー２に当たったとしても光ディスク３に傷がつかないように、ＯＰＴカバー２を柔らかい樹脂で形成している。
【０００７】
しかしながら、上記ＯＰＴカバー２を備えていることにより、その分コストアップの要因となるので、ＯＰＴカバー２がなくても、簡単な仕組みによって光ディスクが対物レンズに接触しないように構成にするのが望ましい。そこで検討した結果、上記本体ベースのアクチュエータ周辺の側壁を低くすることによって、光ディスクが対物レンズにもアクチュエータおよびその周辺にも接触しないように設計することが可能であることがわかった。しかし、本体ベースのアクチュエータ周辺の側壁を低くすると、アクチュエータを構成しているフォーカシングコイルおよびトラッキングコイルの一部が本体ベースの上面から露呈し、光ピックアップの製造工程、駆動装置への組み込み工程などで光ピックアップをハンドリングする際に、上記コイルに工具や手などが触れ、断線などの不具合を起こすおそれがある。したがって、本体ベースのアクチュエータ周辺の側壁は、コイルの保護の観点からは、従来一般的な高さと同等またはそれ以上にして、コイルを構成しているワイヤが隠れる高さにするのが望ましい。しかし、本体ベースのアクチュエータ周辺の側壁を高くすると、前述のように光ディスクが接触する恐れがあるので、程よい高さに設定せざるを得ない。
【０００８】
【特許文献１】特開２００６−３３８７８３号公報
【発明の開示】
【発明が解決しようとする課題】
【０００９】
本発明は、以上のような従来の光ピックアップの問題点を鑑みて、本体ベースにプロテクタを設け、ＯＰＴカバーを設けるよりも簡単な構成で、従って低コストで、光ディスクが対物レンズに接触することを防止することができる光ピックアップおよび光ディスク記録再生装置を提供することを目的とする。
本発明はまた、必要に応じて、アクチュエータカバーを備えた仕様に変更することが容易な光ピックアップおよび光ディスク記録再生装置を提供することを目的とする。
【課題を解決するための手段】
【００１０】
本発明にかかる光ピックアップは、
本体ベースと、
対物レンズを保持していて本体ベース側から伸びた弾性体により平行移動可能に支持されているレンズホルダと、
レンズホルダを対物レンズ光軸方向であるフォーカシング方向および対物レンズ光軸に直交する方向であるトラッキング方向に駆動するアクチュエータと、
上記本体ベースに光ディスク面に向かって形成された一対のプロテクタ装着用突起と、
各プロテクタ装着用突起の先端部に装着されたプロテクタと、を備え、
上記一対のプロテクタ装着用突起は、上記対物レンズを挟んで光ディスクの半径方向内外に形成され、
上記プロテクタの先端は、対物レンズ面よりも光ディスク面に近い位置にあることを最も主要な特徴とする。
【００１１】
本発明にかかる光ディスク記録再生装置は、回転駆動される光ディスクに情報信号を記録再生する光ピックアップとして、上記のように構成された本発明にかかる光ピックアップを備えていることを特徴としている。
【発明の効果】
【００１２】
本体ベースに形成された一対のプロテクタ装着用突起と、これら突起の先端部に装着されたプロテクタを備えた簡単な構成ながら、ディスク面が対物レンズに接触することがなく、対物レンズが傷つくことを防止することができる。
一対のプロテクタ装着用突起およびプロテクタは、対物レンズを挟んで光ディスクの半径方向内外に形成されているため、仮に、光ディスクの外周側の記録トラックに対して記録再生しているとき、光ディスクの半径方向外側に対応するプロテクタが光ディスクの外周よりも外側に位置していたとしても、光ディスクの半径方向内側に対応するプロテクタが光ディスク面に対向するため、このプロテクタによって光ディスク面が対物レンズに接触することを防止することができる。
【発明を実施するための最良の形態】
【００１３】
以下、本発明にかかる光ピックアップおよび光ディスク記録再生装置の実施例について図面を参照しながら説明する。
図１、図２は本発明にかかる光ピックアップの実施例を示す。図１、図２において、本体ベース１は上方から見た外形が略長方形状になっている。本体ベース１には、その内方が抉られることによって長方形状の凹陥部が形成され、この凹陥部に、レンズホルダ１０、このレンズホルダ１０をフォーカシング方向およびトラッキング方向に駆動するアクチュエータが組み込まれている。レンズホルダ１０をフォーカシング方向に駆動するアクチュエータは、フォーカシングコイルおよびフォーカシング磁石を有し、トラッキング方向に駆動するアクチュエータは、トラッキングコイルおよびトラッキング磁石を有してなる。フォーカシングコイルとトラッキングコイルはレンズホルダ側に固着され、フォーカシング磁石とトラッキング磁石は本体ベース１側に固定され、フォーカシング磁石で形成される磁気ギャップ内にフォーカシングコイルがあり、トラッキング磁石で形成される磁気ギャップ内にトラッキングコイルがある。
【００１４】
レンズホルダ１０は、その両側において互いに平行に伸び出た複数本の弾性線材によって支持されている。弾性線材の一端部（基端部）は本体ベース１側、より具体的には本体ベース１に固定されているワイヤホルダ１８に固定され、弾性線材の先端部はレンズホルダ１０の両側に貼り付けられた回路基板の所定の半田付けランドに半田付けされている。ワイヤホルダ１８には回路基板が固定されていて、ワイヤホルダ１８を貫通した弾性線材の一端部がさらに上記回路基板を貫通し、かつ、所定の半田付けランドに半田付けされることにより弾性線材の一端部が固定されている。弾性線材は、ワイヤホルダ１８内において共振防止のために軟固定されている。このようにして、レンズホルダ１０は、本体ベース１側から互いに平行に伸び出た複数本の弾性線材の先端部に固着されていて、これらの弾性線材が撓むことにより平行移動可能に支持されている。このようなレンズホルダ１０の支持構造は周知である。
【００１５】
レンズホルダ１０には対物レンズ１１がその光軸を垂直方向に向けて取り付けられている。本体ベース１には図示されない光源としての半導体レーザーが取り付けられていて、半導体レーザーから射出されるレーザー光はコリメートレンズにより平行光束とされ、この平行光束がビームスプリッタを経た後上記対物レンズ１１を透過するようになっている。図２において符号３は、光ディスク記録再生装置の所定位置に、対物レンズ１１の出射面に対向して装填された光ディスクを示している。レンズホルダ１０は、上記対物レンズ１１を透過したレーザー光束が光ディスク３の記録トラックに収束するように、フォーカシングコイルとフォーカシング磁石を有してなるアクチュエータによって、フォーカシング方向に制御される。また、レンズホルダ１０は、上記対物レンズ１１で収束されることによって形成される光スポットが光ディスク３の所定の記録トラックに正しく位置するように、トラッキングコイルとトラッキング磁石を有してなるアクチュエータによって、トラッキング制御が行われる。
【００１６】
周知のとおり、光ディスク３の記録トラック位置で反射された光束は、対物レンズ１１を逆向きに透過し、上記ビームスプリッタで分離され、受光素子に導かれる。受光素子は例えば受光面が複数に分割されていて、分割された各受光面の出力信号を組み合わせることによって、フォーカスずれ、トラッキングずれを検出することができる。この検出信号に応じてフォーカシング用アクチュエータとトラッキング用アクチュエータが駆動され、所定の記録トラックにフォーカシング制御され、かつ、トラッキング制御される。
【００１７】
本体ベース１は、その長手方向両端に、本体ベース１を、上記のように装填されているディスク３の半径方向にかつディスク３の記録面と平行に移動させるためのガイド部を備えている。一端側（図２において右側）のガイド部は円柱形のガイド棒によって貫通されるガイド孔１２で形成され、他端側のガイド部は側面が開放したＵ字形のガイド溝１４で形成されている。このガイド溝１４にもガイド棒が嵌る。上記ガイド孔１２を貫通するガイド棒と上記ガイド溝１４に嵌るガイド棒は互いに平行で、上記光ディスク３の記録面にも平行になっていて、本体ベース１はこれらのガイド棒に案内されて上記のようにディスク３の半径方向に移動可能となっている。上記ガイド棒に沿う本体ベース１の移動はシーク動作といわれるもので、例えばステッピングモータをパルス制御することにより、本体ベース１を備えてなる光ピックアップを、光ディスク３の所定のトラック位置まで移動させるようになっている。上記ステッピングモータの駆動力を本体ベース１に伝達する手段は任意であるが、例えば、上記ガイド孔１２をねじ孔とし、このねじ孔を貫くガイド棒が送りねじとなっていて上記ねじ孔に螺入され、上記送りねじがステッピングモータで回転駆動されるように構成してもよい。
【００１８】
本体ベース１は、光ディスク３の面に向かい突出して形成された一対のプロテクタ装着用突起４，６を備えている。これらのプロテクタ装着用突起４，６の先端部にはプロテクタ５，７が装着されている。プロテクタ装着用突起４，６に対するプロテクタ５，７の装着構造は任意であるが、例えば、図３にプロテクタ装着用突起４とプロテクタ５の例で代表して示すように、片方が凹形、他方が凸形になっていて、これらの凹形と凸形が互いに嵌合されることにより結合される構造にするとよい。
【００１９】
一対のプロテクタ装着用突起４，６は、光ディスク３の半径方向において、本体ベース１のうち対物レンズ１１に最も近接した位置に、また、対物レンズ１１を挟んで光ディスク３の半径方向内外に形成されている。プロテクタ５，７は光ディスク３との対向面が半球状に形成されていて、各プロテクタ５，７の先端は、対物レンズ１１の上面よりも光ディスク３の面に近い位置に、しかし、光ディスク３の面からは離間した位置にある。プロテクタ５，７は光ディスク３と接触したとしても光ディスク３を傷つけない素材、例えば柔軟性のある、あるいは平滑性のある樹脂などからなる。
【００２０】
以上のように構成された実施例によれば、光ディスク記録再生装置に面ぶれの大きい光ディスクが装填され、これを回転駆動しながら情報信号の記録再生を行う際に、光ディスクの面が対物レンズ１１に向かって接近してきたとすると、光ディスクが対物レンズ１１に接触する前にプロテクタ５，７のうちの少なくとも一方に接触し、対物レンズ１１との接触が回避され、対物レンズ１１が傷つくことを防止することができる。プロテクタ５，７は、本体ベース１に突出して形成されたプロテクタ装着用突起４，６の先端部に装着されてなる簡単な構成であるから、安価なプロテクタ構造を得ることができる。
【００２１】
一対のプロテクタ装着用突起４，６、したがってそれらの先端部に装着されたプロテクタ５，７は、本体ベース１のうち対物レンズ１１に最も近接した位置に設けられているとはいえ、アクチュエータよりも外周側に位置するため、対物レンズ１１からは比較的離れている。そのため、光ディスク３の外周側の記録トラックに対して記録再生しているとき、光ディスク３の半径方向外側に対応するプロテクタが光ディスク３の外周よりも外側に位置することがある。しかし、このような場合でも、光ディスク３の半径方向内側に対応するプロテクタが光ディスク３の面に対向するため、このプロテクタによって光ディスク３の面が対物レンズ１１に接触することを防止することができる。
【００２２】
一対のプロテクタ装着用突起４，６およびプロテクタ５，７は、姿勢が常時安定している本体ベース１に設けられているため、プロテクタ５，７にディスク３の面が接触しても、アクチュエータ部分ないしはレンズホルダ１０の姿勢に影響を及ぼすことなく対物レンズ１１へのディスク３の接触を回避することができる。しかし、予備的に、レンズホルダ１０にもプロテクタ装着用突起およびプロテクタを設けてもよい。
【００２３】
図示の実施例は、レンズホルダ１０側にもプロテクタ装着用突起およびプロテクタを設けている。図１において、レンズホルダ１０の光ディスク３との対向面にも、一対のプロテクタ８，９が設けられている。プロテクタ８，９は、それぞれ光ディスク３の面に向かってレンズホルダ１０に形成されたプロテクタ装着用突起の先端部に装着されている。このプロテクタ装着用突起に対するプロテクタ８，９の装着構造は前記プロテクタ装着用突起４，６に対するプロテクタ５，７の装着構造と同じでよい。レンズホルダ１０側のプロテクタ装着用突起およびこれらの先端部に装着されているプロテクタ８，９は、対物レンズ１１を挟んで光ディスク１１の半径方向内外に形成されている。プロテクタ８，９の上端は、プロテクタ５，７の上端と同じ高さ位置にある。
【００２４】
レンズホルダ１０側にもプロテクタ８，９を設けた図示の実施例によれば、本体ベース１側のプロテクタ５，７によって光ディスク３の面の接近を阻止することができなかったとしても、レンズホルダ１０側のプロテクタ８，９で光ディスク３の面の接近を阻止することができるため、光ディスク３の対物レンズ１１への接触防止の信頼性を高めることができる。
【００２５】
光ピックアップの仕様によっては、従来例について説明したように、ＡＣＴカバーを装着することが求められることがある。本発明にかかる光ピックアップは、そのような要求に対応することも容易である。図４は、図１、図２に示す実施例から、ＡＣＴカバーを装着した仕様に変更した例を示す。図４において、本体ベース１には、対物レンズをフォーカシング方向およびトラッキング方向に駆動するアクチュエータ部分を覆ってＡＣＴカバー２５が装着されている。ＡＣＴカバー２５は、本体ベース１の長手方向の両側面に沿う折り曲げ片を一対ずつ備えていて、それぞれの折り曲げ片に形成された窓孔２６，２７が、本体ベース１の側面に一体に形成されている突起１６，１７に嵌められることによって装着されている。
【００２６】
上記窓孔２６，２７と突起１６，１７によるＡＣＴカバー２５の取り付け構造に代えて、または、この取り付け構造と併せて、上記プロテクタ装着用突起４，６を利用したＡＣＴカバー２５の取り付け構造を採用してもよい。すなわち、図３について説明したような、プロテクタ装着用突起とプロテクタが凹凸の関係で互いに嵌合する構成になっているとすると、プロテクタ装着用突起４，６にプロテクタ５，７を装着することなく、その代わりＡＣＴカバー２５に形成した嵌合部をプロテクタ装着用突起４，６に嵌合させる。換言すれば、プロテクタ装着用突起４，６の先端部は、プロテクタ５，７との嵌合構造にするとともに、ＡＣＴカバー２５との嵌合構造にするのである。この図４に示す実施例において、プロテクタ装着用突起の先端部にＡＣＴカバー２５を装着した状態でのＡＣＴカバー２５の頂点は、プロテクタ５，７を装着した場合のプロテクタ５，７の頂点と同じ高さになっている。
【００２７】
図４に示す実施例によれば、ＡＣＴカバー２５が、光ディスク３が対物レンズに接触するのを阻止するとともに、アクチュエータ部分を保護する。ＡＣＴカバー２５の装着を、本体ベース１に設けたプロテクタ装着用突起４，６を利用して行うようにしておけば、プロテクタ５，７を装着した仕様と、ＡＣＴカバー２５を装着した仕様との間で容易に変更することができる。
【００２８】
以上説明した本発明にかかる光ピックアップの実施例は、これを光ディスク記録再生装置に適用することができる。光ディスク記録再生装置は、装填される光ディスクを回転駆動する駆動装置を備え、回転駆動される光ディスクの記録トラックに情報信号を記録し、または光ディスクの記録トラックに記録されている情報信号を再生する光ピックアップを備えており、その光ピックアップとして本発明にかかる光ピックアップを適用する。こうすることにより、これまで説明してきた本発明の光ピックアップの実施例によって得られる効果と同じ効果を得ることができる光ディスク記録再生装置を得ることができる。
【図面の簡単な説明】
【００２９】
【図１】本発明にかかる光ピックアップの実施例を示す斜視図である。
【図２】上記実施例の側面図である。
【図３】上記実施例中のプロテクタ装着用突起とプロテクタとの結合構造の例を示す縦断面図である。
【図４】本発明にかかる光ピックアップの別の実施例を示す側面図である。
【図５】従来の光ピックアップの例を示す側面図である。
【符号の説明】
【００３０】
１    本体ベース
３    光ディスク
４    プロテクタ装着用突起
５    プロテクタ
６    プロテクタ装着用突起
７    プロテクタ
８    プロテクタ
９    プロテクタ
１０    レンズホルダ
１１    対物レンズ
２５    アクチュエータカバー
【図１】
2009099175.tif 000003
【図２】
2009099175.tif 000004
【図３】
2009099175.tif 000005
【図４】
2009099175.tif 000006
【図５】
2009099175.tif 000007